(57)【要約】      （修正有）【課題】精度の良い入眠に関する時間等の就寝に関する案内情報を出力することができる就寝案内装置を提供する。【解決手段】スマートフォン１において、Ｉ／Ｆ１９が被検者の心拍数に関連する心拍数を取得し、状態判別部１１が被検者の活動状態を取得し、通信部１５が眠気基準心拍数テーブルから活動状態に応じて眠気基準心拍数を取得する。次に、眠気度算出部１６が心拍数及び眠気基準心拍数に基づいて、被検者の現在の眠気度を算出する。次に、通信部１５が被検者の過去の眠気度及び過去の入眠潜時を含む履歴情報を取得する。そして、案内情報生成部１７で眠気度算出部１６が算出した現在の眠気度及び取得した履歴情報に基づいて就寝案内情報を生成し、出力部１８から出力する。【選択図】図２
2016187429.tif 000002
【特許請求の範囲】
【請求項１】
被検者の生体情報を取得する生体情報取得部と、
前記被検者の活動状態を取得する活動状態取得部と、
前記被検者の眠気基準心拍数が前記活動状態毎に格納されている眠気基準心拍数格納部から前記活動状態に応じて前記眠気基準心拍数を取得する眠気基準心拍数取得部と、
前記生体情報及び前記眠気基準心拍数に基づき、前記被検者の眠気に関する眠気情報を算出する眠気度算出部と、
前記被検者の過去の眠気に関する過去眠気情報を含む履歴情報を取得する履歴取得部と、
前記眠気情報及び前記履歴情報に基づき前記被検者の就寝に関する就寝案内情報を生成する生成部と、
前記生成部が生成した前記就寝案内情報を出力する出力部と、
を備えることを特徴とする就寝案内装置。
【請求項２】
前記履歴情報には、前記被検者の過去の入眠潜時に関する入眠潜時情報が含まれることを特徴とする請求項１に記載の就寝案内装置。
【請求項３】
前記入眠潜時の目標値が入力される入力部を更に備え、
前記生成部は、前記目標値、前記眠気情報及び前記履歴情報に基づき前記就寝案内情報を生成する、
ことを特徴とする請求項２に記載の就寝案内装置。
【請求項４】
前記生成部は、前記履歴情報に含まれる前記過去眠気情報と前記入眠潜時情報との関係に基づき、現在の入眠潜時を算出し、前記就寝案内情報に含めることを特徴とする請求項２または３に記載の就寝案内装置。
【請求項５】
前記履歴情報には、前記被検者の睡眠時間及び入眠潜時の開始における眠気情報が含まれていることを特徴とする請求項２乃至４のいずれか一項に記載の就寝案内装置。
【請求項６】
前記履歴情報を収集して前記履歴情報格納部に出力する履歴収集部を更に備えることを特徴とする請求項１乃至５のいずれか一項に記載の就寝案内装置。
【請求項７】
前記出力部は、前記就寝案内情報を表示する表示部、前記就寝案内情報を音により出力する音声報知部、前記就寝案内情報を振動により出力する振動報知部の少なくともいずれか１つを備えることを特徴とする請求項１乃至６のいずれか一項に記載の就寝案内装置。
【請求項８】
被検者の生体情報を取得する生体情報取得工程と、
前記被検者の活動状態を取得する活動状態取得工程と、
前記被検者の眠気基準心拍数が前記活動状態毎に格納されている眠気基準心拍数格納部から前記活動状態に応じて前記眠気基準心拍数を取得する眠気基準心拍数取得工程と、
前記生体情報及び前記眠気基準心拍数に基づき、前記被検者の眠気に関する眠気情報を算出する眠気度算出工程と、
前記被検者の過去の眠気に関する過去眠気情報を含む履歴情報を取得する履歴取得工程と、
前記眠気情報及び前記履歴情報に基づき前記被検者の就寝に関する就寝案内情報を生成する生成工程と、
前記生成工程で生成した前記就寝案内情報を出力する出力工程と、
を含むことを特徴とする就寝案内方法。
【請求項９】
請求項８に記載の就寝案内方法を、コンピュータにより実行させることを特徴とする就寝案内プログラム。
【請求項１０】
請求項９に記載の就寝案内プログラムを格納したことを特徴とするコンピュータ読み取り可能な記録媒体。
【発明の詳細な説明】
【技術分野】
【０００１】
本発明は、被検者の就寝に関する案内情報を出力する就寝案内装置に関する。
【背景技術】
【０００２】
従来、利用者等の過去の睡眠時間等から入眠時刻や起床時刻を算出して快適に入眠、起床することができる装置等が提案されている（例えば、特許文献１を参照）。
【０００３】
特許文献１に記載されている睡眠状態判定装置は、皮膚温、体温、脈拍、心拍、血圧、呼吸、発汗及び体動を含む生体情報からＲＥＭ、ＮＯＮ−ＲＥＭ等の睡眠状態を推定する。そして、利用者が起床時に入力する睡眠の快適さ等の自覚症状と、蓄積されている過去の睡眠状態の遷移及び過去の入眠及び起床時刻と、を用いて、睡眠状態が遷移する確率である状態遷移確率を更新して、入眠時刻、起床時刻を算出する。
【先行技術文献】
【特許文献】
【０００４】
【特許文献１】特開２００４−２５４８２７号公報
【発明の概要】
【発明が解決しようとする課題】
【０００５】
特許文献１に記載の方法の場合、起床時に自覚症状を入力させるが、この自覚症状は主観によるものであることからバラつきが想定され、また詳細性も欠ける。そのため、算出誤差が大きくなる可能性がある。
【０００６】
また、不眠症や入眠困難といった症状の人に対しては、入眠に最適な時刻やタイミング等を案内することが望まれる。
【０００７】
そこで、本発明は、上述した問題に鑑み、例えば、精度の良い入眠に関する時間等の就寝に関する案内情報を出力することができる就寝案内装置を提供することを課題とする。
【課題を解決するための手段】
【０００８】
上記課題を解決するために、請求項１に記載の発明は、被検者の生体情報を取得する生体情報取得部と、前記被検者の活動状態を取得する活動状態取得部と、前記被検者の眠気基準心拍数が前記活動状態毎に格納されている眠気基準心拍数格納部から前記活動状態に応じて前記眠気基準心拍数を取得する眠気基準心拍数取得部と、前記生体情報及び前記眠気基準心拍数に基づき、前記被検者の眠気に関する眠気情報を算出する眠気度算出部と、前記被検者の過去の眠気に関する過去眠気情報を含む履歴情報を取得する履歴取得部と、前記眠気情報及び前記履歴情報に基づき前記被検者の就寝に関する就寝案内情報を生成する生成部と、前記生成部が生成した前記就寝案内情報を出力する出力部と、を備えることを特徴とする就寝案内装置である。
【０００９】
また、請求項８に記載の発明は、被検者の生体情報を取得する生体情報取得工程と、前記被検者の活動状態を取得する活動状態取得工程と、前記被検者の眠気基準心拍数が前記活動状態毎に格納されている眠気基準心拍数格納部から前記活動状態に応じて前記眠気基準心拍数を取得する眠気基準心拍数取得工程と、前記生体情報及び前記眠気基準心拍数に基づき、前記被検者の眠気に関する眠気情報を算出する眠気度算出工程と、前記被検者の過去の眠気に関する過去眠気情報を含む履歴情報を取得する履歴取得工程と、前記眠気情報及び前記履歴情報に基づき前記被検者の就寝に関する就寝案内情報を生成する生成工程と、前記生成工程で生成した前記就寝案内情報を出力する出力工程と、を含むことを特徴とする就寝案内方法である。
【００１０】
また、請求項９に記載の就寝案内方法を、コンピュータにより実行させることを特徴とする就寝案内プログラムである。
【００１１】
また、請求項１０に記載の就寝案内プログラムを格納したことを特徴とするコンピュータ読み取り可能な記録媒体である。
【図面の簡単な説明】
【００１２】
【図１】本発明の一実施例にかかる就寝案内装置とサーバとの概略構成図である。
【図２】図１に示された就寝案内装置の概略構成図である。
【図３】図１に示されたサーバの概略構成図である。
【図４】図２に示された状態判別部における活動状態の判別例を示した表である。
【図５】図２に示されたパラメータテーブルの例を示した表である。
【図６】就寝案内情報の表示例の説明図である。
【図７】過去の入眠潜時と眠気度の関係を示したグラフである。
【図８】図３に示された眠気基準心拍数テーブルの例を示した表である。
【図９】眠気基準心拍数テーブルを算出設定する他の構成例である。
【図１０】眠気基準心拍数テーブルの補間についての説明図である。
【図１１】図２に示されたスマートフォンの動作のフローチャートである。
【図１２】就寝時刻、起床時刻、入眠潜時、睡眠時間、就寝時の眠気度をまとめた表である。
【発明を実施するための形態】
【００１３】
以下、本発明の一実施形態にかかる就寝案内装置を説明する。本発明の一実施形態にかかる就寝案内装置は、生体情報取得部で被検者の生体情報を取得し、活動状態取得部で被検者の活動状態を取得し、眠気基準心拍数取得部で被検者の眠気基準心拍数が活動状態毎に格納されている眠気基準心拍数格納部から活動状態に応じて眠気基準心拍数を取得する。次に、眠気度算出部で生体情報及び眠気基準心拍数に基づき、被検者の眠気に関する眠気情報を算出する。次に、履歴取得部で被検者の過去の眠気に関する過去眠気情報を含む履歴情報を取得する。そして、生成部で眠気情報及び履歴情報に基づき被検者の就寝に関する就寝案内情報を生成し、出力部で生成部が生成した就寝案内情報を出力する。このようにすることにより、現在の眠気に関する眠気情報と履歴情報に基づいて就寝案内情報を生成することができるので、主観評価が不要なため、算出誤差が少なく、例えば入眠潜時といった入眠に関する時間等の就寝案内情報を精度良く生成することができる。
【００１４】
また、履歴情報には、被検者の過去の入眠潜時に関する入眠潜時情報が含まれてもよい。このようにすることにより、過去の入眠潜時に基づいた就寝案内情報を生成することができる。したがって、生成するための元になる情報が多くなるため、より就寝案内情報の精度を向上させることができる。
【００１５】
また、被検者によって、入眠潜時の目標値が入力される入力部を更に備え、生成部は、目標値、眠気情報及び履歴情報に基づき就寝案内情報を生成してもよい。このようにすることにより、目標に応じた就寝案内情報が生成される。従って、被検者の意向を反映させることができる。ここで、入眠潜時とは、入床直後の覚醒状態から睡眠状態へ移行するまでの時間を示す。
【００１６】
また、生成部は、履歴情報に含まれる過去眠気情報と入眠潜時情報との関係に基づき、現在の入眠潜時を算出し、就寝案内情報に含めてもよい。このようにすることにより、履歴情報に基づいて現在の入眠潜時を算出することができる。従って、被検者は現在の眠気による入眠潜時の目安を知ることが可能となる。
【００１７】
また、履歴情報には、被検者の睡眠時間及び入眠潜時の開始における眠気情報が含まれていてもよい。このようにすることにより、被検者が過去の睡眠時間と眠気に関する過去眠気情報との関係を知ることができる。
【００１８】
また、履歴情報を収集して履歴情報格納部に出力する履歴収集部を更に備えてもよい。このようにすることにより、眠気に関する情報や入眠潜時等を収集して次回以降の就寝時の履歴情報とすることができる。
【００１９】
また、出力部は、就寝案内情報を表示する表示部、就寝案内情報を音により出力する音声報知部、就寝案内情報を振動により出力する振動報知部の少なくともいずれか１つを備えてもよい。このようにすることにより、被検者に対して様々な知覚情報により就寝案内情報を報知することができる。
【００２０】
また、本発明の一実施形態にかかる就寝案内方法は、生体情報取得工程が被検者の生体情報を取得し、活動状態取得工程が被検者の活動状態を取得し、眠気基準心拍数取得工程が被検者の眠気基準心拍数が活動状態毎に格納されている眠気基準心拍数格納部から活動状態に応じて眠気基準心拍数を取得する。次に、眠気度算出工程が生体情報及び眠気基準心拍数に基づき、被検者の眠気に関する眠気情報を算出する。次に、履歴取得工程が被検者の過去の眠気に関する過去眠気情報を含む履歴情報を取得する。そして、生成工程が眠気情報及び履歴情報に基づいき被検者の就寝に関する就寝案内情報を生成し、出力工程が生成工程で生成した就寝案内情報を出力する。このようにすることにより、現在の眠気情報と履歴情報に基づいて就寝案内情報を生成することができるので、主観評価が不要なため、算出誤差が少なく、例えば入眠潜時といった入眠に関する時間等の就寝案内情報を精度良く生成することができる。
【００２１】
また、上述した就寝案内方法をコンピュータにより実行させる就寝案内プログラムとしてもよい。このようにすることにより、現在の眠気情報と履歴情報に基づいて就寝案内情報を生成することができるので、主観評価が不要なため、算出誤差が少なく、例えば入眠潜時といった入眠に関する時間等の就寝案内情報を精度良く生成することができる。
【００２２】
また、上述した就寝案内プログラムをコンピュータ読み取り可能な記録媒体に格納してもよい。このようにすることにより、当該プログラムを機器に組み込む以外に単体でも流通させることができ、バージョンアップ等も容易に行える。
【実施例】
【００２３】
本発明の一実施例にかかる就寝案内装置を図１乃至図１１を参照して説明する。本実施例にかかる就寝案内装置としてのスマートフォン１は、図１に示したように、サーバ２と通信可能に接続されている。
【００２４】
スマートフォン１は、図２に示したように、活動状態取得部としての状態判別部１１と、ＧＰＳ受信機１２と、Ｇセンサ１３と、パラメータテーブル１４と、眠気基準心拍数取得部、履歴取得部、収集部としての通信部１５と、眠気度算出部１６と、生成部としての案内情報生成部１７と、出力部１８と、生体情報取得部としてのＩ／Ｆ１９と、入力部１ａと、を備えている。そして、スマートフォン１は、心拍センサ３０が接続されている。
【００２５】
図２に示したスマートフォン１の構成は、例えばアプリケーションプログラム（アプリ）として構成すればよい。また、スマートフォン１が心拍センサ３０を備える構成であってもよい。
【００２６】
なお、本実施例は、スマートフォン１で説明するが、就寝案内装置としてはスマートフォン１に限らないことはいうまでもなく、携帯電話やタブレット型の端末等であってもよいし、腕時計型等であってもよい。或いは室内に設置されるテレビ等の家電機器であってもよい。
【００２７】
心拍センサ３０は、心拍に関する生体情報として少なくとも心拍数を取得することができるセンサであれば、周知のものを用いることができる。例えば、腕時計型、ベッドやソファ等に内蔵されるもの等、種々の形態のものを利用することができる。また、心拍センサ３０は、１種類に限らず、後述する活動状態に応じて複数種類を使い分けてもよい。
【００２８】
上述した構成のスマートフォン１においては、状態判別部１１、眠気度算出部１６及び案内情報生成部１７はＣＰＵ（Central Processing Unit）等の演算装置が機能する。また、パラメータテーブル１４はフラッシュメモリなどの記憶媒体が機能する。また、出力部１８は、液晶ディスプレイ等の表示装置や、スピーカ等の音声出力装置及びスマートフォン１が内蔵するバイブレーション発生部等が機能する。Ｉ／Ｆ１９は、心拍センサ３０等と通信する通信制御部等が機能する。また、ＧＰＳ受信機１２やＧセンサ１３は、スマートフォン１が内蔵するものを利用することができる。
【００２９】
状態判別部１１は、ＧＰＳ受信機１２やＧセンサ１３から入力されるスマートフォン１の現在地情報及び加速度情報（被検者の位置する現在地及び加速度）に基づいて安静、作業中等といった被検者の活動状態を判別する。即ち、状態判別部１１は、被検者の活動状態を取得する。
【００３０】
ＧＰＳ受信機１２は、周知のように複数のＧＰＳ（Global Positioning System）衛星から発信される電波を受信して、現在地情報（緯度、経度）を求めて状態判別部１１に出力する。
【００３１】
Ｇセンサ１３は、所謂加速度センサであり、例えば３軸加速度センサであれば、ＸＹＺ軸の３方向の加速度を測定できる。Ｇセンサ１３は、測定された加速度を状態判別部１１に出力する。
【００３２】
状態判別部１１における活動状態の判別の例を図４に示す。図４は、活動状態を判別するテーブルの例である。図４のテーブルにおいて、状態ｓｔａ１の内容は安静、状態ｓｔａ２の内容は運転中、状態ｓｔａ３の内容は作業中、状態ｓｔａ４の内容は睡眠、の活動状態を示している。勿論活動状態は、エクササイズや重労働等、図示した項目以外が含まれていてもよい。なお、この図４は、様々な活動状態が判別できることを示すため、ｓｔａ４（睡眠）が記載されているが、本実施例においては、ｓｔａ４の判別は行わなくてもよい。
【００３３】
図４のテーブルでは、位置情報がリビングで、加速度情報が小さく、速度が小さく、デバイスが腕時計である場合に状態ｓｔａ１（安静）と判別する。ここで、速度は、例えば現在地情報の変化から算出すればよい。デバイスは心拍センサ３０の種類や設置されている場所を示しており、心拍センサ３０から取得してもよいし、別途被検者等が設定してもよい。
【００３４】
また、現在地情報が車両で、加速度情報が中、速度が大きく、デバイスが運転席である場合に状態ｓｔａ２（運転中）と判別する。現在地情報が事務所で、加速度情報が大きい、速度が中、デバイスが椅子である場合に状態ｓｔａ３（作業中）と判別する。現在地情報がベッドで、加速度情報が小さい、速度が小さい、デバイスがベッドである場合に状態ｓｔａ４（睡眠）と判別する。
【００３５】
なお、図４のテーブルでは、現在地情報、加速度情報、速度情報、デバイス情報で判別していたが、いずれか１項目のみで判定してもよいし２項目又は３項目のみであってもよい。また、心拍センサ３０で測定した心拍数で判別してもよい。例えば、心拍数の数値や心拍数の変化によって作業中や安静状態等の判別をすることができる。
【００３６】
パラメータテーブル１４は、後述する眠気予測パラメータが活動状態毎に設定されているテーブルを備えている。そして、状態判別部１１の判別結果に基づいて、その活動状態に対応する眠気予測パラメータを眠気度算出部１６に出力する。テーブルの例を図５に示す。
【００３７】
眠気予測パラメータは図５に示したようにａ、ｂの２種類が設定される。図５の例では、状態ｓｔａ１（安静）の場合、眠気予測パラメータａは０．２、眠気予測パラメータｂは０．２とし、状態ｓｔａ２（運転中）の場合、眠気予測パラメータａは０．５、眠気予測パラメータｂは０としている。また、状態ｓｔａ３（作業中）の場合、眠気予測パラメータａは０．１、眠気予測パラメータｂは０．２とし、状態ｓｔａ４（睡眠）の場合、眠気予測パラメータａは０．２、眠気予測パラメータｂは０．２としている。図５のテーブルから明らかなように、眠気予測パラメータａ、ｂは０〜１の範囲の値が設定される。
【００３８】
通信部１５は、サーバ２と通信する。通信部１５は、状態判別部１１で判別された活動状態、眠気度算出部１６で算出された眠気度（眠気度算出時刻を含めてもよい）及び入眠潜時等をサーバ２に送信する。通信部１５は、サーバ２から送信された眠気基準心拍数及び履歴情報等を受信する。眠気基準心拍数及び履歴情報については後述する。即ち、通信部１５は、活動状態に応じて眠気基準心拍数を取得し、更に履歴情報を取得する。また、通信部１５は、履歴情報格納部（個人別履歴データ格納部２５）に格納されるべき情報（眠気度、入眠潜時等）を収集してサーバ２に出力する。
【００３９】
眠気度算出部１６は、心拍センサ３０で測定された心拍数と、パラメータテーブル１４から出力された眠気予測パラメータと、通信部１５がサーバ２から受信した眠気基準心拍数と、に基づいて眠気度（眠気に関する情報）を算出する。
【００４０】
眠気度とは、現在の心拍数が眠気基準心拍数よりも低いときの、現在の心拍数と眠気基準心拍数との差分であり、現在の心拍数が眠気基準心拍数より下がる割合に応じて眠気も強くなるように算出される。
【００４１】
ここで、眠気度を算出する前提について説明する。心拍変動から自律神経のバランスを推定するために、心拍変動についての時系列データから、呼吸変動に対応する高周波変動成分（ＨＦ成分）と血圧変動であるメイヤー波（Mayer wave）に対応する低周波成分（ＬＦ成分）を抽出し、両者の大きさを比較する。呼吸変動を反映するＨＦ成分は、副交感神経が緊張（活性化）している場合のみに心拍変動に現れる。一方、ＬＦ成分は、交感神経が緊張しているとき、及び副交感神経が緊張しているときにも心拍変動に現れる。
【００４２】
ＨＦ成分は、パワースペクトルのＨＦ成分の領域（０.１５Ｈｚから０.４０Ｈｚまで）の強度を合計した値に平方根を用いるのが一般的である。ＨＦ成分（ＨＦＳ）は、個人差が大きく、個人ごとに正規化を行い１から５の値に変換する。
ＨＦＳ＝β×√（ＨＦ）・・・（１）
【００４３】
ここで、ＨＦＳの平均値が２となるようにβの値は決定される。ＨＦＳの値が１より小さいものは１とし、５より大きいものは５とする。その結果、ＨＦＳは１から５までの値となる。
【００４４】
眠気度算出部１６では、眠気予測パラメータをａ及びｂ、現在の心拍数ＨＲから得られるＲＲ間隔（R-R Interval）をＲＲ、基準心拍数ＨＲ＿ｒｅｆから得られる基準ＲＲ間隔をＲＲ＿ｒｅｆ、心拍揺らぎをＨＦＳとすると、次の（２）式により眠気度Ｄを算出する。
Ｄ＝ａ×（ＲＲ−ＲＲ＿ｒｅｆ）＋ｂ×ＨＦＳ・・・（２）
【００４５】
ここで、心拍数ＨＲは１分間当たりの心拍の数であるので、ＲＲ間隔は、心拍数ＨＲから次の（３）式で算出される。
ＲＲ＝６００００／ＨＲ（ミリ秒）・・・（３）
【００４６】
同様に、ＲＲ＿ｒｅｆは次の（４）式で算出される。
ＲＲ＿ｒｅｆ＝６００００／ＨＲ＿ｒｅｆ（ミリ秒）・・・（４）
【００４７】
本実施例では、ＨＦＳは眠気度算出部１６で心拍数から求めているが、心拍センサ３０から取得するようにしてもよい。その場合は、Ｉ／Ｆ１９が取得する生体情報としては、心拍数と心拍揺らぎの高周波成分となる。
【００４８】
ここで、眠気予測パラメータａ及びｂをそれぞれ設定することについて説明する。例えば運転中の眠気は単調な運転時（高速道路等）で起こりやすく、眠気を伴った機能低下が起こる。このような機能低下は、生理機能上は心拍数、血圧などが沈静して、眼球運動と脳波の異常などが動揺しながら出現する。自覚症状 疲労感が眠気とだるさ、四肢の疲れを中心に大きく増大し、集中低下も強く感じられる。行動能力 反応時間の大きな延長とばらつきが増大、正確さの低下があり、閉眼、まどろみによる危険状態にも至る。
【００４９】
眠気の状態は自律神経の機能により下記のように分類される。
＜１．眠気のない場合＞
交感神経が亢進し、副交感神経が抑制している状態である。心拍数ＨＲが大きく、心拍揺らぎの高周波成分ＨＦが小さい。
＜２．眠気の兆候がある場合＞
単調な運転や疲労などにより、心理的に眠気の自覚は少ないが生理的にその兆候が現れる。交感神経活動が亢進状態から抑制状態に変わるので、心拍数が下がる。
＜３．眠気が生じる場合＞
交感神経は抑制したままであるが、副交感神経活動が亢進状態に変わるので、心拍数ＨＲが下がり、心拍揺らぎの高周波成分ＨＦが上がる。
＜４．眠気に抗した葛藤状態＞
危険を感じ、眠気に抗するために、緊張状態を生じる。ヒヤッとしたときなどに、交感神経活動が断続的に亢進し、心拍揺らぎの高周波成分ＨＦが減少する。
＜５．眠気に抗しきれない状態＞
緊張が消失し、居眠りが始まる。交感神経活動が抑制されるので心拍数ＨＲは下がる。
【００５０】
上記の分類で、通常の居眠り運転では１の状態（眠気のない場合）から２の状態（眠気の兆候がある場合）に変化し、さらに４の状態（眠気に抗した葛藤状態）に至ることが多い。一方、安静状態では、１の状態から２の状態になり、３の状態（眠気が生じる場合）になり、そして、眠ってしまうと５の状態（眠気に抗しきれない状態）に至る。
【００５１】
そこで、（２）式では、図３に示したように、運転中では心拍揺らぎの眠気予測パラメータｂを０にして計算する。つまり、運転状態では、心拍数変化の眠気予測パラメータａを大きくし、心拍揺らぎの眠気予測パラメータｂを小さくする。一方、安静状態では、心拍数変化の要素の眠気予測パラメータａを小さくし、心拍揺らぎの眠気予測パラメータｂを大きくする。
【００５２】
即ち、眠気予測パラメータａ及びｂは、ＲＲ間隔及び心拍揺らぎのそれぞれに対する重み付けをするための係数である。上述したように、ＲＲ間隔と心拍揺らぎは、活動状態によって眠気への寄与が異なるため、それぞれに重み付けをすることで、眠気度の精度を高めている。
【００５３】
そして、（２）式により算出された眠気度は１〜５の数値の範囲となる。この眠気度は１が眠気が小さく５が眠気が大きい。また、眠気度Ｄは現在の心拍数が眠気基準心拍数よりも低いときの、現在の心拍数と眠気基準心拍数との差分であるので、ＲＲ＜ＲＲ＿ｒｅｆ（ＨＲ＞ＨＲ＿ｒｅｆ）の場合眠気度は１とする。
【００５４】
即ち、眠気予測パラメータは活動状態によって変化するので、眠気度算出部１６は、心拍数（生体情報）、活動状態、眠気基準心拍数に基づいて眠気度を算出していることとなる。
【００５５】
案内情報生成部１７は、眠気度算出部１６で算出された現在の眠気度と、サーバ２から通信部１５を介して入力された履歴情報と、入力部１ａから入力された入眠潜時の目標値と、から就寝案内情報を生成する。また、案内情報生成部１７は、被検者の実際の入眠潜時を算出する。就寝案内情報とは、入眠時刻、入眠タイミングや、快適に入眠するためのアドバイスや過去の睡眠時間における情報の比較等の就寝に関する情報である。就寝案内情報の表示例を図６に示す。
【００５６】
図６は、スマートフォン１のディスプレイ等の表示部に就寝案内情報が表示された場合の例である。図６では、眠気度１８１、現在の眠気１８２、入眠潜時１８３、目標値１８４、メッセージ１８５が表示されている。
【００５７】
眠気度１８１は、現在の眠気１８２の眠気度を示すための目盛である。現在の眠気１８２は、眠気度算出部１６で算出された現在の眠気度をバーグラフ状に表示するための領域である。入眠潜時１８３は、履歴情報に含まれる過去の眠気度と入眠潜時から算出された眠気度１８１に対応する入眠潜時の目盛である。
【００５８】
目標値１８４は、入力部１ａから被検者が入力する入眠潜時の目標値である。メッセージ１８５は、現在の眠気１８２の内容（値）に応じて生成するメッセージである。
【００５９】
図６（ａ）の場合、現在の眠気１８２が“２”である。この場合の入眠潜時は４５分となる。また、被検者が入力した入眠潜時の目標値は１５分であり、目標に到達してないので、「もう少しリラックスしましょう！」といったメッセージ１８５を生成する。
【００６０】
図６（ｂ）の場合、現在の眠気１８２が“４”を超えている。この場合の入眠潜時は、被検者が入力した入眠潜時の目標値を超えているので、「すぐに布団に入りましょう！」といったメッセージ１８５を生成する。
【００６１】
ここで、履歴情報に含まれる過去の入眠潜時と過去の眠気度（過去眠気情報）とから現在の入眠潜時を算出する方法について説明する。図７は、過去の入眠潜時と過去の眠気度の関係を示したグラフの例である。図７に示すように入眠潜時と眠気度とは直線近似することができる。従って、この直線を表す関数によって現在の眠気度に対応する現在の入眠潜時を算出することができる。算出された入眠潜時は、就寝案内情報に含められたり、履歴情報としてサーバ２の個人別履歴データ格納部２５に格納されたりする。
【００６２】
なお、図７では、直線近似を示したが、線形近似するに限らない。また、関数等を求めずに、例えば、眠気度５段位階毎の入眠潜時の平均値や最頻値等を求めて、それを算出した入眠潜時としてもよい。
【００６３】
案内情報生成部１７は、被検者の実際の入眠潜時を算出する。算出方法としては、入床から眠気度が５になった時点までを計時することでもよいし、入床から睡眠状態と判定できる心拍数になった時点までを計時することでもよい。或いは、それらを組み合わせて判定してもよい。なお、入床は被検者が入力部１ａから入力することで検出すればよい。
【００６４】
出力部１８は、案内情報生成部１７で生成された就寝案内情報を出力する。出力部１８は、例えば、スマートフォン１のディスプレイ等の表示部に図６のような表示をする。また、スピーカ等の音声出力部（音声報知部）にメッセージ１８５の内容を音声によって被検者に案内（報知）してもよく、図６（ｂ）の状態になったことを電子音等として出力するようにしてもよい。或いは、図６（ｂ）の状態になったことを、スマートフォン１が内蔵するバイブレーション発生部等の振動報知部により振動を発生させて被検者に報知するようにしてもよい。
【００６５】
また、出力部１８としては、上述した３つの例に限らず、例えば、近距離無線通信等により被検者が装着しているウェアラブルデバイス（心拍センサ等）に就寝案内情報を出力してもよい。そして、ウェアラブルデバイス等において表示や音声出力、振動等をさせるようにしてもよい。つまり、出力部１８は、就寝案内情報をデータとして外部に出力することも含まれる。
【００６６】
Ｉ／Ｆ１９は、心拍センサ３０が接続されるインタフェース（Ｉ／Ｆ）である。Ｉ／Ｆ１９は、心拍センサ３０が有線接続の場合は有線接続に対応するインタフェース、無線接続の場合は無線接続に対応するインタフェースとなる。即ち、Ｉ／Ｆ１９は、被検者において測定された該被検者の心拍に関する生体情報を取得する。
【００６７】
入力部１ａは、タッチパネルやボタン等から構成される。入力部１ａからは、被検者が入眠潜時の目標値や入床時刻等を入力する。
【００６８】
サーバ２は、図３に示したように、眠気基準心拍数格納部としての眠気基準心拍数テーブル２１と、端末通信部２２と、処理部２４と、履歴情報格納部としての個人別履歴データ格納部２５と、を備えている。
【００６９】
サーバ２は、周知のように、事業所等に設置されて、インターネット等のネットワーク経由で複数のスマートフォン１等の端末と通信が可能となっている。上述した構成のサーバ２においては、眠気基準心拍数テーブル２１及び個人別履歴データ格納部２５は、ハードディスク等の記憶媒体が機能する。また、端末通信部２２は、ネットワーク制御用の基板や半導体回路等が機能する。また、処理部２４は、ＣＰＵ等の演算装置が機能する。
【００７０】
眠気基準心拍数テーブル２１は、被検者の眠気基準心拍数が時刻及び活動状態毎に格納されているテーブルを備えている。そして、スマートフォン１から受信した状態判別部１１の判別結果及び現在時刻に基づいて、その活動状態に対応する眠気基準心拍数を処理部２４に出力する。テーブルの例を図８に示す。
【００７１】
ここで、眠気基準心拍数とは、眠気発生時の心拍数である。つまり、この心拍数以下では人が眠気を感じる心拍数である。眠気基準心拍数の算出方法としては、例えば運転中等のある活動状態における心拍の最低心拍数と標準偏差を求め、最低心拍数に標準偏差を加えることで算出する。
【００７２】
図８の例の場合、時刻ｔ１〜ｔ４の１時間間隔で状態ｓｔａ１〜ｓｔａ３毎に眠気基準心拍数を設定している。時刻ｔ１〜ｔ４は、例えば午後０時や、午後１時などの時刻を示している。
【００７３】
眠気基準心拍数は、心拍センサ３０から取得した心拍数等の情報に基づいて算出された標準偏差等に基づいて算出される。例えば午後０時の基準心拍数を算出する場合は、午後０時近傍の所定期間の心拍数を取得し、上述したように最低心拍数と標準偏差を求め、最低心拍数に標準偏差を加えることで算出すればよい。そして、その時の活動状態をスマートフォン１の状態判別部１１から取得し、その活動状態の午後０時の眠気基準心拍数としてテーブルに設定する。
【００７４】
また、眠気基準心拍数は、図１に示したスマートフォン１で算出し設定してもよいし、サーバ２に心拍数等の情報を送信してサーバ２で算出してもよいが、図９に示すような構成で別途算出、設定し、サーバ２の眠気基準心拍数テーブル２１に転送するようにしてもよい。初期校正部５１は、上述した方法で眠気基準心拍数を算出する。
【００７５】
また、人は１日に様々な活動を行うので、２４時間心拍数を測定しても、眠気基準心拍数テーブル２１の全ての時刻と活動状態を埋めるのは困難である（図１０（ａ））。そこで、空白となった部分はその前後のデータに基づいて滑らかになるようにデータを補間するようにしてもよい（図１０（ｂ））。
【００７６】
また、初期状態で補間により埋めた部分は、その後の測定によって眠気基準心拍数が算出された場合はその算出値に更新（追加）してもよい。更に、その更新（追加）に基づいて他の補間値を更新してもよい。このようにすることで、眠気基準心拍数の精度を向上させることができる。即ち、眠気基準心拍数テーブル２１は、心拍数の測定時刻及び状態判別部１１（活動状態取得部）が検出した被検者の活動状態に基づいて眠気基準心拍数を追加又は更新する眠気基準心拍数設定部としても機能する。
【００７７】
端末通信部２２は、スマートフォン１から状態判別部１１が判別した活動状態、眠気度算出部１６が算出した眠気度（眠気度算出時刻も含む）や案内情報生成部が算出した入眠潜時等を受信する。また、端末通信部２２は、スマートフォン１へ処理部２４が眠気基準心拍数テーブル２１及び個人別履歴データ格納部２５から読み出した眠気基準心拍数や履歴情報等を送信する。
【００７８】
処理部２４は、現在時刻及び状態判別部１１が判別した活動状態に基づいて眠気基準心拍数テーブル２１から眠気基準心拍数を読み出して取得する。処理部２４は、個人別履歴データ格納部２５から履歴情報を読み出して取得する。そして、読み出した眠気基準心拍数や履歴情報を端末通信部２２を介してスマートフォン１に送信する。なお、現在時刻は、サーバ２に内蔵する時計機能から参照してもよいし、外部のＮＴＰ（Network Time Protocol）サーバ等から取得してもよい。
【００７９】
個人別履歴データ格納部２５は、端末通信部２２が受信した眠気度や入眠潜時等が個人別に格納されている。
【００８０】
図１１に上述した構成のスマートフォン１の動作のフローチャートを示す。まず、ステップＳ１０１において、Ｉ／Ｆ１９が心拍情報（心拍数）を心拍センサ３０から取得してステップＳ１０２に進む。即ち、本ステップが生体情報取得工程として機能する。
【００８１】
次に、ステップＳ１０２において、眠気基準心拍数を取得しステップＳ１０３に進む。本ステップでは、ステップＳ１０１で取得した心拍数に基づいて状態判別部１１が活動状態を判別してサーバ２にその活動状態を通信部１５が送信して、サーバ２から眠気基準心拍数を受信する。即ち、本ステップが活動状態取得工程、眠気基準心拍数取得工程として機能する。
【００８２】
次に、ステップＳ１０３において、履歴情報を読み込んで（取得して）ステップＳ１０４に進む。本ステップでは、例えば通信部１５がサーバ２に対して履歴情報を要求して、サーバ２から送信された履歴情報を受信する。即ち、本ステップが履歴取得工程として機能する。
【００８３】
次に、ステップＳ１０４において、被検者に現在の眠気度を入力させてステップＳ１０５に進む。本ステップでは、被検者に現在の眠気度を入力部１ａから入力される。この眠気度は被検者の主観評価として、以後のステップで算出される眠気度と対比して表示してもよい。或いは、サーバ２の個人別履歴データ格納部２５に履歴情報として格納し、後日算出した眠気度と対比表示をしてもよい。
【００８４】
次に、ステップＳ１０５において、被検者に入眠潜時の目標値を入力させてステップＳ１０６に進む。本ステップでは、被検者によって入眠潜時の目標値を入力部１ａから入力される。
【００８５】
次に、ステップＳ１０６において、現在の眠気度と入眠潜時を算出してステップＳ１０７に進む。本ステップでは、眠気度と入眠潜時を上述した方法、つまり、（２）式や直線近似から求めた関数により算出される。即ち、本ステップが眠気度算出工程として機能する。
【００８６】
次に、ステップＳ１０７において、算出された眠気度が前回の眠気度算出時から変化したか否かを判断し、変化した場合（ＹＥＳの場合）はステップＳ１０８に進み、変化しない場合（ＮＯの場合）はステップＳ１０９に進む。
【００８７】
次に、ステップＳ１０８において、図６の表示を変更してステップＳ１０６に戻る。本ステップでは、ステップＳ１０７で眠気度が変化したので、その変化した眠気度や現状の入眠潜時に合わせて図６の表示を変更する。
【００８８】
ステップＳ１０９においては、入眠最適時刻か否かを判断し、入眠最適時刻の場合（ＹＥＳの場合）はステップＳ１１１に進み、そうでない場合（ＮＯの場合）はステップＳ１１０に進む。入眠最適時刻の判断は、ステップＳ１０５で入力した入眠潜時の目標値以下の入眠潜時となる眠気度になったことで判断する。
【００８９】
次に、ステップＳ１１０において、心拍情報（心拍数）を更新（再度取得）してステップＳ１０６に進み眠気度と入眠潜時を再算出する。
【００９０】
ステップＳ１１１においては、入眠タイミングであることを通知（報知）してステップＳ１１２に進む。本ステップでは、図６（ｂ）のような情報の生成および表示、音声出力或いは振動により被検者に入眠タイミングであることを報知する。即ち、本ステップが、生成工程、出力工程として機能する。なお、図６のような表示を行う場合は、ステップＳ１０６以降は表示が継続することとなる。したがって、ステップＳ１０６以降は実質的に生成工程、出力工程となる。
【００９１】
次に、ステップＳ１１２において、被検者に入床時刻を入力させてステップＳ１１３に進む。入床時刻は、上述したように入力部１ａから入力すればよい。入力は、現在時刻を表示して、ＯＫボタンを押させる等簡便な入力とすることが好ましい。なお、入力については、一例であってもちろんこの方法に限定されるものではない。
【００９２】
次に、ステップＳ１１３において、入眠潜時をサーバに送信する。本ステップでは、ステップＳ１１２から入眠に至るまでの時間を計測し、サーバ２に送信する。サーバ２では、その入眠潜時を履歴情報として個人別履歴データ格納部２５に格納する。
【００９３】
本実施例によれば、Ｉ／Ｆ１９が被検者の心拍数に関連する心拍数を取得し、状態判別部１１が被検者の活動状態を取得し、通信部１５が眠気基準心拍数テーブル２１から活動状態に応じて眠気基準心拍数を取得する。次に、眠気度算出部１６が心拍数及び眠気基準心拍数に基づいて、被検者の現在の眠気度を算出する。次に、通信部１５が被検者の過去の眠気度及び過去の入眠潜時を含む履歴情報を取得する。そして、案内情報生成部１７で眠気度算出部１６が算出した現在の眠気度及び取得した履歴情報に基づいて就寝案内情報を生成し、出力部１８から出力する。このようにすることにより、現在の眠気度と履歴情報に基づいて就寝案内情報を生成することができるので、主観評価が不要なため、算出誤差が少なく、例えば入眠潜時といった入眠に関する時間等の就寝案内情報を精度良く生成することができる。
【００９４】
また、入眠潜時の目標値を入力する入力部１ａを更に備え、案内情報生成部１７は、目標値、現在の眠気度及び履歴情報に基づいて就寝案内情報を生成している。このようにすることにより、目標に応じた就寝案内情報が生成される。従って、被検者の意向を反映させることができる。
【００９５】
また、案内情報生成部１７は、履歴情報に含まれる過去の眠気度と過去の入眠潜時との関係を線形近似した式に基づいて、現在の入眠潜時を算出して、就寝案内情報に含めている。このようにすることにより、履歴情報に基づいて現在の入眠潜時を算出することができる。従って、被検者は現在の眠気による入眠潜時の目安を知ることが可能となる。
【００９６】
また、履歴情報としてサーバ２の個人別履歴データ格納部２５に格納される眠気度、入眠潜時等を収集してサーバ２へ出力する通信部１５備えている。このようにすることにより、眠気に関する情報や入眠潜時等を収集して次回以降の就寝時の履歴情報とすることができる。
【００９７】
また、出力部１８は、就寝案内情報を表示する表示部、就寝案内情報を音により出力する音声報知部、就寝案内情報を振動により出力するバイブレーション発生部を備えている。このようにすることにより、被検者に対して様々な感覚により就寝案内情報を報知することができる。
【００９８】
また、眠気度算出部１６は、活動状態毎に予め設定された眠気予測パラメータに基づいて被検者の眠気度を算出している。このようにすることにより、心拍数と心拍揺らぎを活動状態に応じて重み付けすることができる。
【００９９】
なお、履歴情報には、被検者の睡眠時間及び入眠潜時の開始時における眠気度が含まれていてもよい。このようにすることにより、例えば、図１２に示したように、被検者が過去の睡眠時間と眠気に関する情報との関係を知ることができる。例えば、被検者は、眠い時にベッドに入ると直ぐに眠れる事を確認することができる。
【０１００】
図１２は、就寝時刻と起床時刻と入眠潜時と睡眠時間と就寝時の眠気度とを示した一例の表である。図１２には、就寝時刻と起床時刻とが記載されているが、これは、心拍数の変化により検知可能である（起床時刻は被検者自身が入力してもよい）。
【０１０１】
また、図１２のように情報をまとめることで、例えば、入床するのによい時間を就寝案内情報としてアドバイスすることが可能となる。勿論表でなくグラフであってもよい。
【０１０２】
また、上述した実施例では、入眠潜時の目標値を入力するようにしていたが、省略してもよい。この場合、例えば眠気度が“４”以上、或いは入眠潜時が１５分以内など、予め定めた基準値に基づいて入床を促すようにしてもよい。
【０１０３】
また、就寝案内情報としては、入眠潜時や図６に示したメッセージ以外に、例えば、リラックスするのによい音楽等の眠気を催すのに有用な情報の案内情報を含めてもよい。
【０１０４】
また、上述した実施例では、過去の眠気度と入眠潜時とから入眠タイミング等を報知していたが、入眠潜時ではなく、例えば、過去の眠気度から、眠気度が大きくなる時間帯を求めて入眠タイミング等を推定して報知してもよい。
【０１０５】
また、上述した実施例において活動状態と測定時刻とに基づいて眠気予測パラメータや眠気基準心拍数を選択していたが、活動状態のみに基づいて眠気予測パラメータや眠気基準心拍数を選択してもよい。但し、測定時刻を考慮した方が、適切な眠気予測パラメータや眠気基準心拍数を選択できるので好ましい。
【０１０６】
また、パラメータテーブル１４や眠気度算出部１６の両方又は一方をサーバ２が備えてもよいし、眠気基準心拍数テーブル２１や処理部２４の両方又は一方をスマートフォン１が備えてもよい。また、サーバ２を用いず、全てスマートフォン１が備える構成であってもよい。
【０１０７】
また、本発明は上記実施例に限定されるものではない。即ち、当業者は、従来公知の知見に従い、本発明の骨子を逸脱しない範囲で種々変形して実施することができる。かかる変形によってもなお本発明の就寝情報案内装置の構成を具備する限り、勿論、本発明の範疇に含まれるものである。
【符号の説明】
【０１０８】
１        スマートフォン（就寝案内装置）
２        サーバ
１１      状態判別部（活動状態取得部）
１４      パラメータテーブル
１５      通信部（眠気基準心拍数取得部、履歴取得部、収集部）
１６      眠気度算出部
１７      案内情報生成部（生成部）
１８      出力部（表示部、音声報知部、振動報知部）
１９      Ｉ／Ｆ（生体情報取得部）
１ａ      入力部
２１      眠気度基準心拍数テーブル（眠気基準心拍数格納部）
２５      個人別履歴データ格納部（履歴情報格納部）
３０      心拍センサ
Ｓ１０１  心拍情報を取得（生体情報取得工程）
Ｓ１０２  眠気基準心拍数取得（活動状態取得工程、眠気基準心拍数取得工程）
Ｓ１０３  履歴情報を読み込む（履歴取得工程）
Ｓ１０６  現在の眠気度と入眠潜時の算出（眠気度算出工程）
Ｓ１１１  入眠タイミングであることを通知（生成工程、出力工程）
【図１】
2016187429.tif 000003
【図２】
2016187429.tif 000004
【図３】
2016187429.tif 000005
【図４】
2016187429.tif 000006
【図５】
2016187429.tif 000007
【図６】
2016187429.tif 000008
【図７】
2016187429.tif 000009
【図８】
2016187429.tif 000010
【図９】
2016187429.tif 000011
【図１０】
2016187429.tif 000012
【図１１】
2016187429.tif 000013
【図１２】
2016187429.tif 000014